(57)【要約】  【課題】  本願は、冷凍冷蔵庫の使い勝手を良くするために、夏は多くの氷を造れ、冬は自動製氷機を取り外してアイス室を冷凍室として有効に活用できる冷凍冷蔵庫を提供するものである。  【解決手段】  自動製氷機(10)に設けられ、前記自動製氷エリア(10L)と左右方向に並べて設けられ、第２の製氷皿(7)が置かれる製氷皿載置エリア(10R)と、前記自動製氷機(10)の上部左右端(10b,10c)を保持し、前記貯氷容器(8)の左右壁(8b,8c)の上方又はこの上方より外側の冷凍冷蔵庫本体側に設けられ、前記自動製氷機(10)を着脱自在に保持する左右の保持部(9b,9c)とを備えることを特徴とする。【選択図】  図１５
2006105428.tif 000002
【特許請求の範囲】
【請求項１】
アイス室(9)の天井部(9a)に配置される自動製氷機(10)と、
このアイス室(9)の引出ドア(3)と、
この引出ドア(3)のレール(3a,3a)に取り付けられこの引出ドア(3)と一体に前後に移動可能な貯氷容器(8)と、
前記自動製氷機(10)に設けられ、製氷皿(13)とこの製氷皿(13)から脱氷するためにこの製氷皿(13)を捩るモータ部(12)とを備える自動製氷エリア(10L)と、
前記自動製氷機(10)に設けられ、前記自動製氷エリア(10L)と左右方向に並べて設けられ、第２の製氷皿(7)が置かれる製氷皿載置エリア(10R)と、
前記自動製氷機(10)の上部左右端(10b,10c)を保持し、前記貯氷容器(8)の左右壁(8b,8c
)の上方又はこの上方より外側の冷凍冷蔵庫本体側に設けられ、前記自動製氷機(10)を着脱自在に保持する左右の保持部(9b,9c)とを
備えることを特徴とする冷凍冷蔵庫。
【請求項２】
前記自動製氷機(10)は、前記製氷皿(13)を前記モータ部(12)によって回動させて捻りを与えることによりこの製氷皿(13)内の氷を下方へ落下させ、前記貯氷容器(8)内に貯めるものであることを特徴とする請求項１の冷凍冷蔵庫。
【請求項３】
前記製氷皿(13)は取り外し可能であり、前記第２製氷皿(7)は前記製氷皿(13)の代わりに前記自動製氷エリア(10L)に配置して前記モータ部(12)により捩ることが出来ることを特徴とする請求項１又は請求項２に記載の冷凍冷蔵庫。
【発明の詳細な説明】
【技術分野】
【０００１】
本発明は、アイス室から自動製氷機を着脱自在に構成した自動製氷機冷凍冷蔵庫に関する。
【背景技術】
【０００２】
家庭用冷凍冷蔵庫の自動製氷機では、夏において氷の使用量が増加しても対応できるように、自動製氷機構を２個備えて、製氷能力を高めたものがある(例えば、特許文献１参照)。
【０００３】
しかし、自動製氷機構を２個設けることは、コスト面では実用的ではない。このために、自動脱氷機構のない単なる製氷皿を置くだけの製氷部(以下、手動製氷部と称す)と、自動製氷機とを設けて、製氷能力を高めたものがある(例えば、特許文献２参照)。この冷凍冷蔵庫では、奥に自動製氷機を配置し、その手前に手動製氷部を設けている。なお、この手動製氷部は、冷凍保存品の収納空間が小さくならないような場所に設けられている。
【０００４】
ところで、上記発明の冷凍冷蔵庫は、夏において氷の使用量が増加した場合に対応した冷凍冷蔵庫であるが、冬になって氷の使用量が激減した場合に対応した冷凍冷蔵庫も提案されている(例えば、特許文献３，４参照)。
【０００５】
この特許文献３，４の冷凍冷蔵庫は、自動製氷機の少なくとも製氷皿を着脱自在として、氷を使用しない季節には、製氷皿部分（又は自動製氷機全体）を取り外して、アイス室を冷凍室として利用している。
【特許文献１】特開２００２−１３０８８３号公報
【特許文献２】特開２００２−２２８３１２号公報
【特許文献３】特開２００３−２７９２１３号公報
【特許文献４】特開２０００−３２９４３４号公報
【発明の開示】
【発明が解決しようとする課題】
【０００６】
本願は、冷凍冷蔵庫の使い勝手を良くするために、夏は多くの氷を造れ、冬は自動製氷機を取り外してアイス室を冷凍室として有効に活用できる冷凍冷蔵庫を提供するものである。
【課題を解決するための手段】
【０００７】
本発明の冷凍冷蔵庫は、アイス室(9)の天井部(9a)に配置される自動製氷機(10)と、このアイス室(9)の引出ドア(3)と、この引出ドア(3)のレール(3a,3a)に取り付けられこの引出ドア(3)と一体に前後に移動可能な貯氷容器(8)と、前記自動製氷機(10)に設けられ、製氷皿(13)とこの製氷皿(13)から脱氷するためにこの製氷皿(13)を捩るモータ部(12)とを備える自動製氷エリア(10L)と、前記自動製氷機(10)に設けられ、前記自動製氷エリア(10L)と左右方向に並べて設けられ、第２の製氷皿(7)が置かれる製氷皿載置エリア(10R)と、前記自動製氷機(10)の上部左右端(10b,10c)を保持し、前記貯氷容器(8)の左右壁(8b,8c)の上方又はこの上方より外側の冷凍冷蔵庫本体側に設けられ、前記自動製氷機(10)を着脱自在に保持する左右の保持部(9b,9c)とを備えることを特徴とする。
【０００８】
更に、本発明の冷凍冷蔵庫は、前記自動製氷機(10)は、前記製氷皿(13)を前記モータ部(12)によって回動させて捻りを与えることによりこの製氷皿(13)内の氷を下方へ落下させ、前記貯氷容器(8)内に貯めるものであることを特徴とする。
【０００９】
更に、本発明の冷凍冷蔵庫は、前記製氷皿(13)は取り外し可能であり、前記第２製氷皿(7)は前記製氷皿(13)の代わりに前記自動製氷エリア(10L)に配置して前記モータ部(12)により捩ることが出来ることを特徴とする。
【発明の効果】
【００１０】
請求項１の発明では、製氷皿載置エリア(10R)を、自動製氷エリア(10L)とは独立とせずに、自動製氷機(10)の一部に設けている。従って、この製氷皿載置エリア(10R)の取り外しも容易である。つまり、自動製氷機(10)を取り外すと自動製氷エリア(10R)のみでなく、製氷に関わる大部分を取り外し出来、アイス室(9)を冷凍室として有効利用できる。また、自動製氷エリア(10L)と製氷皿載置エリア(10R)とを左右方向に並べて設けているので、操作も取外し作業も簡単である。
【発明を実施するための最良の形態】
【００１１】
本発明の冷凍冷蔵庫は、アイス室(9)の天井部(9a)に配置される自動製氷機(10)と、このアイス室(9)の引出ドア(3)と、この引出ドア(3)のレール(3a,3a)に取り付けられこの引出ドア(3)と一体に前後に移動可能な貯氷容器(8)と、前記自動製氷機(10)に設けられ、製氷皿(13)とこの製氷皿(13)から脱氷するためにこの製氷皿(13)を捩るモータ部(12)とを備える自動製氷エリア(10L)と、前記自動製氷機(10)に設けられ、前記自動製氷エリア(10L)と左右方向に並べて設けられ、第２の製氷皿(7)が置かれる製氷皿載置エリア(10R)と、前記自動製氷機(10)の上部左右端(10b,10c)を保持し、前記貯氷容器(8)の左右壁(8b,8c)の上方又はこの上方より外側の冷凍冷蔵庫本体側に設けられ、前記自動製氷機(10)を着脱自在に保持する左右の保持部(9b,9c)とを備えることを特徴とする。
【実施例１】
【００１２】
図１〜図２２を参照しつつ本発明の実施例１について説明する。
【００１３】
まず、図１について説明する。
【００１４】
図１は、実施例１の冷凍冷蔵庫の正面図である。
【００１５】
この冷凍冷蔵庫(1)には、冷蔵室、アイス室、大小２つの冷凍室、野菜室がもうけられている。ドア(2)は、冷蔵室の回転ドアである。ドア(3)は、アイス室の引出ドアである。ドア(4,5)は、冷凍室の引出ドアである。ドア(6)は、野菜室の引出ドアである。
【００１６】
この冷凍冷蔵庫(1)は、着脱可能な自動製氷機が設けられている。
【００１７】
この自動製氷機の操作について、図２〜図７を参考に説明する。この図２〜図７は、アイス室ドア(3)の周辺の斜視図である。
【００１８】
図２の如く閉じているアイス室ドア(3)を引出すと、図３の如く、自動製氷機(10)が見える。
【００１９】
この自動製氷機(10)には、引出部(14)がある。この引出部(14)は、図４、図５に示すように引出すことが可能である。この様に引出部(14)を引出すと、この引出部(14)には自動製氷用の製氷皿(13)が載置されている。この製氷皿(13)は、図６の如く取り外すことが出来る。
【００２０】
これにより、自動製氷機(10)の製氷皿(13)の清掃が容易となる。
【００２１】
更に、この自動製氷機(10)はロックレバー(15)を倒すことにより冷蔵庫本体との係合が外れ、図７に示すように、この自動製氷機(10)を引出して、この冷蔵庫から外すことが出来る。
【００２２】
この自動製氷機(10)を図８〜図１２に示す。
【００２３】
図８は、正面方向からの斜視図である。図９は後方から見た斜視図である。図１０は引出部(14)を引出した斜視図、図１１は、製氷皿(13)を取り外した斜視図である。
【００２４】
図１２は、自動製氷機(10)の分解斜視図である。
【００２５】
図１２に示すように、この自動製氷機(10)は、主に、ハウジング(11)と、自動製氷機の脱氷用モータユニット(モータ部：12)と、製氷皿(13)とからなる。製氷皿(7)は製氷皿(13)と互換性があり、自動製氷用の製氷皿として交換できる。ハウジング(11)は、枠本体(16)と天板(17)と引出部(14)と側部(16)とからなる。
【００２６】
図１３は、アイス室引出ドア(3)である。この引出ドア(3)にはレール(3a,3a)とローラ(3b,3b)が一体に設けられ、このレール(3a,3a)とローラ(3b,3b)、及び、冷蔵庫本体側の案内部とローラにより、引出ドア(3)は前後方向に移動自在に冷蔵庫本体に取り付けられる。
【００２７】
貯氷容器(8)は、この引出ドア(3)のレール(3a,3a)に取り付けられこの引出ドア(3)と一体に前後に移動可能である。貯氷容器(8)はこのレール(3a,3a)等により支持されて、この引出ドア(3)と一体となって、前後方向に移動する。
【００２８】
図１４は、引出ドア(3)を外したアイス室(9)の正面図である。
【００２９】
このアイス室(9)の天井部(9a)には、自動製氷機(10)が配置されている。この天井部(9a)の左右両端付近には、左右の保持部(9b,9c)が設けられている。この左右の保持部(9b,9c)は、自動製氷機(10)の上部の左右両端(10b,10c)を保持して、自動製氷機(10)をアイス室(9)に保持している。
【００３０】
自動製氷機(10)の左側のエリア(10L)は、製氷皿(14)とこの製氷皿(14)から脱氷するためにこの製氷皿(14)を捩るモータ部(12)とを備える自動製氷エリア(10L)である。
【００３１】
自動製氷機(10)の右側のエリア(10R)は、製氷皿載置エリア(10R)である。この自動製氷エリア(10L)と製氷皿載置エリア(10R)は左右方向に並べて設けられている。
【００３２】
図１４に貯氷容器(8)の断面を加えたものが図１５である。この図１５では、貯氷容器(8)の一部を断面して表している。また、製氷皿載置エリア(10R)には、第２の製氷皿(7)を載置している。
【００３３】
この図１５から判るように、保持部(9b,9c)は、自動製氷機(10)の上部左右両端(10b,10c)を保持している。また、この保持部(9b,9c)の取り付け位置は、貯氷容器(8)の左右壁(8b,8c)の上方又はこの上方より外側の冷凍冷蔵庫本体側に設けられている。このような位置に左右の保持部(9b,9c)を設けて、前記自動製氷機(10)を着脱自在に保持している。
【００３４】
この自動製氷機(10)は、製氷皿(13)をモータ部(12)によって回動させて捻りを与えることによりこの製氷皿(13)内の氷を下方へ落下させ、前記貯氷容器(8)内に貯めるものである。
【００３５】
また、自動製氷エリア(10L)の製氷皿(13)と、製氷皿載置エリア(10R)の製氷皿(7)に互換性を持たせ、自動製氷エリア(10L)の製氷皿(13)を外して代わりに製氷皿(7)を取り付けるようにしている。
【産業上の利用可能性】
【００３６】
本発明の自動製氷機は、上記実施形態に限定されず、また、冷凍冷蔵庫の冷蔵室、冷演室、製氷室等の配置関係は、上記形態に限定されず、本発明の技術的範囲を逸脱しない限り種々の冷凍冷蔵庫の形態に適用できるものである。
【図面の簡単な説明】
【００３７】
【図１】本発明の実施例１の冷凍冷蔵庫の正面図である。
【図２】実施例１の冷凍冷蔵庫の一部の斜視図である。
【図３】実施例１の冷凍冷蔵庫の一部の斜視図である。
【図４】実施例１の冷凍冷蔵庫の一部の斜視図である。
【図５】実施例１の冷凍冷蔵庫の一部の斜視図である。
【図６】実施例１の冷凍冷蔵庫の一部の斜視図である。
【図７】実施例１の冷凍冷蔵庫の一部の斜視図である。
【図８】実施例１の自動製氷機の斜視図である。
【図９】実施例１の自動製氷機の斜視図である。
【図１０】実施例１の自動製氷機の斜視図である。
【図１１】実施例１の自動製氷機の斜視図である。
【図１２】実施例１の自動製氷機の分解斜視図である。
【図１３】実施例１のアイス室ドアの斜視図である。
【図１４】実施例１のアイス室の正面図である。
【図１５】実施例１のアイス室の正面図である。
【符号の説明】
【００３８】
(3)アイス室の引出ドア
(3a)レール
(7)第２の製氷皿
(8)貯氷容器
(8b,8c)貯氷容器の左右壁
(9)アイス室
(9a)アイス室の天井部
(9b,9c)保持部
(10)自動製氷機
(10b,10c)自動製氷機上部左右端
(10L)自動製氷エリア
(10R)製氷皿載置エリア
(12)モータ部
(13)製氷皿
【図１】
2006105428.tif 000003
【図２】
2006105428.tif 000004
【図３】
2006105428.tif 000005
【図４】
2006105428.tif 000006
【図５】
2006105428.tif 000007
【図６】
2006105428.tif 000008
【図７】
2006105428.tif 000009
【図８】
2006105428.tif 000010
【図９】
2006105428.tif 000011
【図１０】
2006105428.tif 000012
【図１１】
2006105428.tif 000013
【図１２】
2006105428.tif 000014
【図１３】
2006105428.tif 000015
【図１４】
2006105428.tif 000016
【図１５】
2006105428.tif 000017